(57)【要約】      （修正有）【課題】同じイベントに参加する複数のユーザの衣装が重複しないように、衣装を提供できるシステムを提供すること。【解決手段】衣装の提供を行う為の衣装提供システムであって、第１の選択情報の入力を受け付ける第１の選択受付手段と、第２の選択情報の入力画面を表示する為に、前記第２の選択情報の選択肢を表示処理し、表示要求に応じて表示処理結果を送信する表示手段と、前記第１の選択情報及び第２の選択情報に基づいて予約情報を登録する予約手段と、を備える。前記入力画面は、前記第２の選択情報の選択肢として、前記第１の選択受付手段が受け付けた前記第１の選択情報と同一の情報を有する前記予約情報に含まれる前記第２の選択情報以外の表示を含む。前記第１の選択情報は、ユーザが指定する衣装の型を示す指定衣装情報及び衣装を使用するイベントのイベント情報の何れか一方であり、前記第２の選択情報は、その他方である。【選択図】図１
2019168773.tif 000002
【特許請求の範囲】
【請求項１】
衣装の提供を行う為の衣装提供システムであって、
衣装の予約を受け付けるための第１の選択情報の入力を受け付ける第１の選択受付手段と、
ユーザ端末において第２の選択情報の入力画面を表示する為に、前記第２の選択情報の選択肢を表示処理し、表示要求に応じて表示処理結果を送信する表示手段と、
前記第１の選択情報及び第２の選択情報を含む申込情報を作成する受付手段と、
前記申込情報に基づいて予約情報を登録する予約手段と、を備え、
前記入力画面は、前記第２の選択情報の選択肢として、前記第１の選択受付手段が受け付けた前記第１の選択情報と同一の情報を有する前記予約情報に含まれる前記第２の選択情報以外の表示を含み、
前記第１の選択情報は、ユーザが指定する衣装の型を示す指定衣装情報及び衣装を使用するイベントに関するイベント情報のうち何れか一方であり、
前記第２の選択情報は、前記指定衣装情報及びイベント情報のうちの他方であることを特徴とする、衣装提供システム。
【請求項２】
前記入力画面には、
前記第１の選択受付手段が受け付けた前記第１の選択情報と同一の情報を有する前記予約情報に含まれる前記第２の選択情報が、前記選択肢とは識別可能に表示されることを特徴とする、請求項１に記載の衣装提供システム。
【請求項３】
前記入力画面には、
前記第１の選択受付手段が受け付けた前記第１の選択情報と同一の情報を有する前記予約情報に含まれる前記第２の選択情報が表示されないことを特徴とする、請求項１に記載の衣装提供システム。
【請求項４】
前記イベント情報は、前記イベントの会場の情報を含むことを特徴とする、請求項１〜３の何れかに記載の衣装提供システム。
【請求項５】
前記イベントは、学校の入学式又は卒業式を含み、
前記イベント情報は、入学式又は卒業式を行う学校を指定する情報を含むことを特徴とする、請求項１〜４の何れかに記載の衣装提供システム。
【請求項６】
衣装の提供を行う為の衣装提供プログラムであって、
コンピュータを、
衣装の予約を受け付けるための第１の選択情報の入力を受け付ける第１の選択受付手段と、
ユーザ端末において第２の選択情報の入力画面を表示する為に、前記第２の選択情報の選択肢を表示処理し、表示要求に応じて表示処理結果を送信する表示手段と、
前記第１の選択情報及び第２の選択情報を含む申込情報を作成する受付手段と、
前記申込情報に基づいて予約情報を登録する予約手段と、として機能させ、
前記入力画面は、前記第２の選択情報の選択肢として、前記第１の選択受付手段が受け付けた前記第１の選択情報と同一の情報を有する前記予約情報に含まれる前記第２の選択情報以外の表示を含み、
前記第１の選択情報は、ユーザが指定する衣装の型を示す指定衣装情報及び衣装を使用するイベントに関するイベント情報のうち何れか一方であり、
前記第２の選択情報は、前記指定衣装情報及びイベント情報のうちの他方であることを特徴とする、衣装提供プログラム。
【発明の詳細な説明】
【技術分野】
【０００１】
本発明は、衣装提供システム及び衣装提供プログラムに関する。
【背景技術】
【０００２】
従来から、衣装の貸出や販売に関する技術が知られている。例えば、特許文献１には、気候や流行、利用者の服装の好み等を考慮して、利用者が所有する服飾品とレンタルの服飾品を組み合わせるコーディネートサービス方法が公開されている。
【０００３】
また、特許文献２には、ユーザ端末を所有する会員同士の衣装の貸し借りを仲介するインターネット衣装レンタルシステムが公開されている。
【先行技術文献】
【特許文献】
【０００４】
【特許文献１】特開２００２−２１５７７０号公報
【特許文献２】特開２００９−１０４２９４号公報
【発明の概要】
【発明が解決しようとする課題】
【０００５】
入学式や卒業式、結婚式等のイベントではレンタル衣装を着用する参加者が多く、同じレンタルサービスを利用した場合、他の参加者と衣装のデザインが重複することがあった。意図せず他の参加者と同じデザインの衣装を着用することは一般にユーザにとって望ましくなく、他の参加者との衣装の重複を避けたいという要望があった。
【０００６】
これに対し、特許文献１や特許文献２に記載の技術は、あるユーザに衣装を提供する際に、他のユーザに提供する衣装を考慮しておらず、同じイベントに参加する他のユーザと衣装のデザインが重複してしまう恐れがあった。
【０００７】
そこで、本発明では、ユーザがイベントで着用する衣装が、同じイベントに参加する他のユーザの衣装と重複しないように、衣装の提供を行うことができるシステムを提供することを課題とする。
【課題を解決するための手段】
【０００８】
上記課題を解決するために、本発明は、衣装の提供を行う為の衣装提供システムであって、
衣装の予約を受け付けるための第１の選択情報の入力を受け付ける第１の選択受付手段と、
ユーザ端末において第２の選択情報の入力画面を表示する為に、前記第２の選択情報の選択肢を表示処理し、表示要求に応じて表示処理結果を送信する表示手段と、
前記第１の選択情報及び第２の選択情報を含む申込情報を作成する受付手段と、
前記申込情報に基づいて予約情報を登録する予約手段と、を備え、
前記入力画面は、前記第２の選択情報の選択肢として、前記第１の選択受付手段が受け付けた前記第１の選択情報と同一の情報を有する前記予約情報に含まれる前記第２の選択情報以外の表示を含み、
前記第１の選択情報は、ユーザが指定する衣装の型を示す指定衣装情報及び衣装を使用するイベントに関するイベント情報のうち何れか一方であり、
前記第２の選択情報は、前記指定衣装情報及びイベント情報のうちの他方であることを特徴とする。
【０００９】
これにより、指定衣装情報及びイベント情報が同一である予約をひとつだけ受け付けることができる。その為、ユーザは、指定したイベントで他のユーザと衣装が重複することを避けることができる。
【００１０】
本発明の好ましい形態では、前記入力画面には、
前記第１の選択受付手段が受け付けた前記第１の選択情報と同一の情報を有する前記予約情報に含まれる前記第２の選択情報が、前記選択肢とは識別可能に表示されることを特徴とする。
このように、第２の選択情報の選択肢に加えて選択できない情報を表示することで、例えば、第１の選択情報がイベント情報であり、第２の選択情報が指定衣装情報である場合に、ユーザは、目当てとするイベントに参加する他のユーザがその衣装を既に予約していることが確認できる。これにより、ユーザの対抗心を煽り、本発明における衣装提供システムで扱われる衣装の利用意欲を高める効果が期待できる。
【００１１】
本発明の好ましい形態では、前記入力画面には、
前記第１の選択受付手段が受け付けた前記第１の選択情報と同一の情報を有する前記予約情報に含まれる前記第２の選択情報が表示されないことを特徴とする。
このように、選択できない情報が表示されないことにより、ユーザはより容易に希望する内容を選択することができる。
【００１２】
本発明の好ましい形態では、前記イベント情報は、前記イベントの会場の情報を含むことを特徴とする。
このように、イベント情報としてイベントの会場の情報を受け付けることにより、イベントの会場からユーザが衣装を着用するイベントを特定し、ユーザが参加するイベントでユーザの衣装が他のユーザの衣装と重複することをより確実に避ける効果が期待できる。
【００１３】
本発明の好ましい形態では、前記イベントは、学校の入学式又は卒業式を含み、
前記イベント情報は、入学式又は卒業式を行う学校を指定する情報を含むことを特徴とする。
これにより、ユーザが参加するイベントを確実に特定し、あるユーザの衣装が、同じ入学式や卒業式に参加する他のユーザと衣装と重複することを避ける効果が期待できる。
【００１４】
本発明は、衣装の提供を行う為の衣装提供プログラムであって、
コンピュータを、
衣装の予約を受け付けるための第１の選択情報の入力を受け付ける第１の選択受付手段と、
ユーザ端末において第２の選択情報の入力画面を表示する為に、前記第２の選択情報の選択肢を表示処理し、表示要求に応じて表示処理結果を送信する表示手段と、
前記第１の選択情報及び第２の選択情報を含む申込情報を作成する受付手段と、
前記申込情報に基づいて予約情報を登録する予約手段と、として機能させ、
前記入力画面は、前記第２の選択情報の選択肢として、前記第１の選択受付手段が受け付けた前記第１の選択情報と同一の情報を有する前記予約情報に含まれる前記第２の選択情報以外の表示を含み、
前記第１の選択情報は、ユーザが指定する衣装の型を示す指定衣装情報及び衣装を使用するイベントに関するイベント情報のうち何れか一方であり、
前記第２の選択情報は、前記指定衣装情報及びイベント情報のうちの他方であることを特徴とする。
【発明の効果】
【００１５】
本発明によれば、ユーザがイベントで着用する衣装が、他の参加者の衣装と重複しないように、衣装の提供を行うことができるシステムを提供することができる。
【図面の簡単な説明】
【００１６】
【図１】本発明の一実施形態に係る衣装提供システムの構成図である。
【図２】本発明の一実施形態に係る衣装提供システムの機能ブロック図である。
【図３】本発明の一実施形態における利用情報の一例を示す図である。
【図４】本発明の一実施形態における衣装情報の一例を示す図である。
【図５】本発明の一実施形態における学校情報の一例を示す図である。
【図６】本発明の一実施形態における衣装の提供の流れを示す図である。
【図７】本発明の一実施形態における衣装予約受付に係る処理の流れを示す図である。
【図８】本発明の一実施形態における衣装選択画面の表示例を示す図である。
【図９】本発明の一実施形態における衣装詳細画面の表示例を示す図である。
【図１０】本発明の一実施形態における学校選択画面の表示例を示す図である。
【発明を実施するための形態】
【００１７】
以下、本発明の一実施形態について、図面を参照して詳細に説明する。なお、本実施形態においては、学校の入学式又は卒業式の為の衣装の貸出を行う衣装提供システムについて説明する。ただし、本発明はこれに限るものではなく、例えば、衣装の提供の目的を変更したり、貸出に替えて、又は加えて、衣装の販売を行ったりしてもよい。
【００１８】
本発明において、衣装の型とは、衣装のデザインを指す。例えば、同一デザインでサイズが異なる衣装については、同一の型として扱う。また、本実施形態においては、同デザインで色違いの衣装についても同一の型として扱うが、異なる型として扱うように変更してもよい。
【００１９】
また、本発明において申込情報とは、ユーザが衣装の提供を受けるために入力する情報であり、利用情報とは、申込情報に基づいて登録される情報である。申込情報は、ユーザが提供を受けたい衣装の型を示す指定衣装情報（本実施形態における第１の選択情報）と、衣装を使用するイベントに関するイベント情報（本実施形態における第２の選択情報）と、を含む。利用情報は、「貸出中」や「返却済み」等、予約の状態を示すステータスを含み、ステータスが「返却済み」のものは、過去の利用履歴を表す「履歴情報」として扱い、それ以外のものを衣装の予約に関する「予約情報」として扱う。
【００２０】
図１は、本実施形態に係る衣装提供システムの構成を示す図である。ここに示すように、本実施形態に係る衣装提供システムは、サーバ装置１と、管理端末２と、ユーザ端末３と、がネットワークＮＷを介して通信可能に構成される。なお、ユーザ端末３や管理端末２は複数存在してもよい。
【００２１】
サーバ装置１としては、ＣＰＵ（Ｃｅｎｔｒａｌ  Ｐｒｏｃｅｓｓｉｎｇ  Ｕｎｉｔ）等の演算装置、ＲＡＭ（Ｒａｎｄｏｍ  Ａｃｃｅｓｓ  Ｍｅｍｏｒｙ）等の主記憶装置、フラッシュメモリやＳＳＤ（Ｓｏｌｉｄ  Ｓｔａｔｅ  Ｄｒｉｖｅ）、ＨＤＤ（Ｈａｒｄ  Ｄｉｓｋ  Ｄｒｉｖｅ）等の補助記憶装置、ネットワークＮＷへの接続手段を含む種々の入出力装置等を備えた、サーバ機器等の一般的なコンピュータ装置を利用することができる。より詳細には、補助記憶装置に予め、あるいは記録媒体からの複製等によって、後述する各手段としてサーバ装置１を動作させるためのプログラムを格納しておき、それらのプログラムを主記憶装置上に展開して演算装置による演算を行い、入出力手段の制御等を行うことで、コンピュータ装置を本実施形態に係る衣装提供システムにおけるサーバ装置１として利用することができる。
【００２２】
また、管理端末２としては、演算装置、主記憶装置、補助記憶装置、ネットワークＮＷへの接続手段、種々の入出力装置等を備えた、一般的なコンピュータ装置を利用することができる。図１においてはＰＣ（Ｐｅｒｓｏｎａｌ  Ｃｏｍｐｕｔｅｒ）を例示するが、この他、スマートフォンやタブレット端末等を用いてもよい。具体的には、利用情報の管理等に係る入出力を行うためのプログラムを補助記憶装置に記憶させ、主記憶装置上に展開することで、コンピュータ装置を本実施形態に係る衣装提供システムにおける管理端末２として機能させることができる。
【００２３】
ユーザ端末３としては、演算装置、主記憶装置、補助記憶装置、ネットワークＮＷへの接続手段、種々の入出力装置等を備えた、一般的なコンピュータ装置を利用することができる。図１においてはスマートフォンを例示するが、この他、任意のコンピュータ装置を用いてよい。具体的には、例えば、端末装置の備えるウェブブラウザプログラムを用いて衣装の予約に関する入出力を行い、端末装置を本実施形態に係る衣装提供システムにおけるユーザ端末３として機能させることができる。この他には、申込情報の入力等に係る入出力を行うための専用のアプリケーションソフトをインストールすることにより、端末を本実施形態に係る衣装提供システムにおけるユーザ端末３として利用する構成としてもよい。
【００２４】
図２は、本実施形態に係る衣装提供システムの機能ブロック図である。ここに示すように、サーバ装置１は、衣装選択受付手段１１（本実施形態における第１の選択受付手段）と、学校選択受付手段１２（本実施形態における第２の選択受付手段）と、表示手段１３と、受付手段１４と、予約手段１５と、管理手段１６と、記憶部１７と、を備える。
【００２５】
衣装選択受付手段１１は、第１の選択情報として、ユーザ端末３を介してユーザが希望する衣装の型を指定する指定衣装情報の入力を受け付ける。
【００２６】
学校選択受付手段１２は、第２の選択情報として、ユーザ端末３を介して学校の選択を受け付ける。本実施形態においては、イベントとは学校の入学式又は卒業式を指し、イベント情報として入学式や卒業式が行われる学校の選択を学校選択受付手段１２が受け付けることにより、イベントを特定する。
【００２７】
ここで、イベント情報は、イベントを一意に特定できる情報とすることが好ましい。例えば、イベントの日時と会場を指定する情報をイベント情報として用いてもよい。また、申込情報が複数のイベント情報を含んでいてもよい。これにより、衣装を複数のイベントで着用するような場合にも、その各種のイベントで他のユーザとの衣装の重複を避けることができる。具体的には、例えば、小学校の卒業式と中学校の入学式の両方で衣装を着用する場合等には、学校選択受付手段１２が複数の学校情報の入力を受け付けることにより、他のユーザとの衣装の重複を避けることができる。
【００２８】
表示手段１３は、ユーザ端末３において学校情報の入力画面を表示する為に、学校の選択肢を表示処理し、表示要求に応じて表示処理結果を送信する。本実施形態においては、学校情報の入力画面において、記憶部１７に記憶された予約情報に含まれる学校情報と、予約情報に含まれない学校情報（学校情報の選択肢）と、が識別可能に表示される。これにより、同じ型の衣装についての予約は、イベントごとにひとつしか受け付けないため、同じイベントに参加するユーザ同士の衣装の重複を避けることができる。
【００２９】
受付手段１４は、ユーザが衣装の提供を受ける為の申込情報を作成する。申込情報は、指定衣装情報と、ユーザが衣装を着用するイベントに関するイベント情報と、を含む。本実施形態において、受付手段１４は、ユーザ端末３を介して、この他にユーザのメールアドレスやユーザの住所等の入力を受け付け、これらを含む申込情報を作成する。
【００３０】
予約手段１５は、ユーザによって入力された申込情報に基づいて、記憶部１７に予約情報（利用情報）を登録する。
【００３１】
管理手段１６は、管理端末２を介して、記憶部１７に記憶されている利用情報等を変更するための入力を受け付け、入力に基づいて変更を行う。
【００３２】
記憶部１７は、予約手段１５によって登録された利用情報を記憶する。本実施形態においては、利用情報の他に、衣装情報と、学校情報と、各衣装の貸出が可能な学校のリストと、が記憶されている。利用情報は申込情報に基づいて登録され、指定された衣装の型の情報及びイベント情報を含む。各衣装の貸出が可能な学校のリストは、学校ごとの各衣装の貸し出し状況（学校ごとの貸出の可否）を示す情報であり、登録された予約情報に基づいて設定される。予約情報が登録されたり、ステータスが変更されて履歴情報になると、所定のタイミングで学校のリストが更新され、貸し出し状況が更新される。本例では、各学校への貸し出し状況に基づいて、同じイベントで同じ衣装がレンタルされないように、学校情報の入力画面における表示に利用される。
【００３３】
図３は、本実施形態における利用情報の例を示す図である。本実施形態においては、利用情報として、予約ＩＤと、衣装の型を指定する指定衣装情報と、衣装のサイズと、当該予約に対して貸出予定の衣装を識別する衣装ＩＤと、入学式や卒業式が行われる学校を指定する学校ＩＤ（イベント情報）と、衣装の配達予定日であるお届け日と、予約したユーザの名前と、衣装の配達先であるユーザの住所と、ユーザのメールアドレスと、「貸出中」や「返却済み」等、予約の状態を示すステータスと、が記憶されている。ここで、利用情報のうち、ステータスが「返却済み」のものは、過去の利用履歴を表す「履歴情報」として扱われ、それ以外のものが衣装の予約に関する「予約情報」として扱われる。
【００３４】
また、図４は本実施形態における衣装情報の例を示す図である。ここに示すように、本実施形態においては、衣装情報として、衣装ＩＤと、衣装の型と、衣装の色と、サイズと、「貸出中」や「クリーニング中」、「貸出可能」等、衣装の状態を示すステータスと、が記憶されている。
【００３５】
図５は、本実施形態における学校情報の例を示す図である。ここに示すように、本実施形態においては、学校情報として、学校ＩＤと、学校名と、入学式の日程と、卒業式の日程と、所在地の地域情報と、が記憶されている。
【００３６】
図６は、衣装貸出の流れを示す図である。まず、ステップＳ１１において、ユーザによる衣装の予約を受け付ける。ここで、衣装予約受付の処理の流れを図７に示す。まず、ステップＳ２１において、衣装選択受付手段１１が、ユーザ端末３を介してユーザによる衣装の型、サイズ、色の指定を受け付ける。
【００３７】
本実施形態においては、ユーザ端末３の表示部３２に衣装選択画面（第１の選択情報の入力画面）を表示し、入力手段３１を介してユーザによる衣装の型の選択を受け付ける。図８は、本実施形態における衣装選択画面の表示例である。ここに示すように、衣装選択画面には衣装のイメージ画像、レンタル価格、詳細ボタンＢ１等が表示されている。ユーザが詳細ボタンＢ１を選択することで、衣装選択受付手段１１が衣装の型の選択を受け付け、ユーザ端末３の表示部３２に衣装の詳細を示す衣装詳細画面が表示される。
【００３８】
図９は、本実施形態における衣装詳細画面の表示例を示す図である。ここに示すように、衣装詳細画面は、サイズ・色を選択させるための詳細指定部Ｂ２及び予約ボタンＢ３を含む。ユーザが詳細指定部Ｂ２の所望のサイズと色を示す欄を選択し、予約ボタンＢ３を選択することによって、ユーザ端末３を介して所望の衣装のサイズ及び色の入力を衣装選択受付手段１１が受け付ける。図９における詳細指定部Ｂ２は、１５０ｃｍ、ブラックの衣装Ａの型が選択された場合の例を示している。このようにして、衣装の型と、衣装のサイズと、衣装の色と、の入力を衣装選択受付手段１１が受け付けるとステップＳ２２に進む。
【００３９】
ステップＳ２２においては、ユーザ端末３の表示部３２に学校選択画面（第２の選択情報の入力画面）を表示し、入力手段３１を介してユーザによる学校の選択を受け付ける。図１０は、本実施形態における学校選択画面の表示例を示す図である。学校選択画面は学校選択部Ｂ４を表示する。ここに示すように、本実施形態においては、学校選択画面において、ステップＳ２１において指定された衣装を予約可能な学校と、予約不可な学校と、を識別可能に表示する。即ち、受け付けた指定衣装情報を含む予約情報の学校ＩＤによって指定される学校を予約不可な学校、それ以外の学校を予約可能な学校として、これらを識別可能に表示する。
【００４０】
ここで、本実施形態においては、記憶部１７が、各衣装の貸出が可能な学校のリストを記憶し、表示手段１３がリストに従って表示処理する。なお、第１の選択情報をイベント情報（本実施形態における学校の選択）とし、第２の選択情報を衣装情報とした場合には、各学校に対して貸出が可能な衣装のリストを記憶部１７が記憶する構成とすればよい。また、この他には、例えば、表示手段１３が学校の選択画面（第２の選択情報の入力画面）を表示する際に、予約情報を集計処理等して、その都度予約可能な学校を判定し、表示処理を行う構成としてもよい。
【００４１】
学校選択部Ｂ４においては、ステップＳ２１において選択された衣装を貸出可能な学校、即ち、他のユーザによって同じ衣装を指定した予約がされていない学校のみを選択できるようにし、衣装の貸出ができない学校を識別可能な形式で表示する。ユーザは、ユーザ端末３を介して、表示された学校の中から参加する入学式または卒業式が行われる学校を選択する操作を行い、学校選択受付手段１２がこれを受け付ける。なお、学校選択画面において予約不可の学校を表示しない構成としてもよい。
【００４２】
ステップＳ２２における学校の選択が終了すると、ステップＳ２３において、受付手段１４がユーザ端末３を介して、衣装の指定及び学校の指定以外の申込情報の入力を受け付ける。本実施形態においては、ユーザの名前、住所、メールアドレスの入力を受け付ける。なお、事前にユーザの名前、住所、メールアドレスを含む情報を登録するユーザ登録を受け付け、ユーザＩＤ等を入力することでこれらの情報の入力に代えてもよい。
【００４３】
ステップＳ２３における申込情報の入力が完了すると、ステップＳ２４において、入力された申込情報に基づいて予約手段１５が予約情報（利用情報）を登録し、当該予約情報において指定された衣装の貸出が可能な学校のリストを更新する。本実施形態においては、予約情報（利用情報）ごとに割り当てられた予約ＩＤと、ステップＳ２１で指定された衣装の型、サイズ、色と、ステップＳ２２で選択された学校に対応する学校ＩＤと、ステップＳ２３において入力されたユーザの名前、住所、メールアドレスと、を予約情報として登録する。また、ステップＳ２２で選択された学校に対応する学校情報を参照し、ユーザが参加する入学式又は卒業式の日程から所定日数だけ遡った日をお届け日として登録する。本実施形態においては、入学式又は卒業式の日程の一週間前をお届け日として登録する。この時、指定された型、サイズ、色と一致し、ステータスが「貸出可能」である衣装を割り当てて、予約情報としてその衣装ＩＤを登録してもよい。
【００４４】
ここで、本実施形態において、各衣装は「入学式用」又は「卒業式用」の何れかに指定されており、入学式用の衣装が選択された場合には、指定された学校の入学式の日程の１週間前をお届け日として登録し、卒業式用の衣装が選択された場合には、選択された学校の卒業式の日程の１週間前をお届け日として登録する。なお、各衣装を入学式用と卒業式用とで区別せず、学校の選択に加えて、入学式又は卒業式の選択を受け付ける構成としてもよい。
【００４５】
予約情報が登録されると、ユーザ端末３を介してユーザにその旨が通知され、貸出料金の支払いが求められる。ユーザは指定された貸出料金の支払いを行う。
【００４６】
以上のようにしてステップＳ１１における衣装予約受付が行われ、予約情報に記録されたお届け日が近づくと、ステップＳ１２において予約された衣装の発送を行う。具体的には、管理者が衣装の発送手続きを行い、管理端末２を介して衣装情報のステータス及び利用情報のステータスを「貸出中」に変更するための入力を行う。管理手段１６はこれを受け付け、衣装情報及び利用情報のステータスを変更する。
【００４７】
ユーザが衣装の使用を終え、衣装が返却されるとステップＳ１３において衣装返却の受け付けが行われる。具体的には、管理者が衣装の受け取りとクリーニングの手配を行い、管理端末２を介して衣装情報及び利用情報のステータスを「クリーニング中」に、利用情報のステータスを「返却済み」に変更するための入力を行う。管理手段１６はこれを受け付け、衣装情報及び利用情報のステータスを変更する。このようにしてステータスが「返却済み」に変更された利用情報は「履歴情報」として扱われ、管理手段１６が当該利用情報において指定された衣装の貸出が可能な学校のリストを更新する。
【００４８】
衣装のクリーニングが完了すると、ステップＳ１４において、管理者が衣装の保管を行い、管理端末２を介して衣装情報のステータスを「貸出可能」に変更するための入力を行う。管理手段１６はこれを受け付け、衣装情報のステータスを変更する。
【００４９】
なお、ステップＳ１２からステップＳ１４においては、例えば、衣装を識別するためのタグを各衣装につけておき、管理端末２の入力手段２１を介してタグの情報を入力することで衣装情報及び利用情報のステータスを変更するための情報がサーバ装置１に送信される構成としてもよい。より具体的には、例えば、衣装ＩＤに対応付けられたバーコードを印刷したタグを各衣装にとりつけ、入力手段２１としてバーコード読み取り装置を用いてこれを読み取ること等により、衣装情報及び利用情報のステータスの変更を行ってもよい。
【００５０】
また、ステップＳ１２の後に、ユーザ端末３を介してユーザから衣装の買い取りの希望を受け付けてもよい。この場合にはステップＳ１３及びステップＳ１４を省略し、レンタル価格と販売価格の差額の支払いを受けることで衣装の販売を行えばよい。
【００５１】
以上のように、本発明に係る衣装提供システムによれば、ユーザが指定したイベントにおいて、他のユーザからは同一の型の衣装の提供予約を受け付けないため、他のユーザとの衣装の重複を避けることができる。
【００５２】
なお、本実施形態においては、学校の入学式又は卒業式用の衣装を貸し出す場合を例示し、イベント情報として、入学式又は卒業式が行われる学校の学校ＩＤを用いたが、本発明はこれに限るものではない。例えば、結婚式等で参列者が着用するドレスの貸出を行い、式場及び日程の情報をイベント情報として用いることも可能である。
【００５３】
また、本実施形態においては、第１の選択情報を指定衣装情報とし、第２の選択情報を学校情報（イベント情報）としたが、第１の選択情報をイベント情報とし、第２の選択情報を指定衣装情報としてもよい。
【符号の説明】
【００５４】
１  サーバ装置
１１  衣装選択受付手段
１２  学校選択受付手段
１３  表示手段
１４  受付手段
１５  予約手段
１６  管理手段
１７  記憶部
２  管理端末
２１  入力手段
２２  出力手段
３  ユーザ端末
３１  入力手段
３２  表示部
ＮＷ  ネットワーク
Ｂ１  詳細ボタン
Ｂ２  詳細指定部
Ｂ３  予約ボタン
Ｂ４  学校選択部
【図１】
2019168773.tif 000003
【図２】
2019168773.tif 000004
【図３】
2019168773.tif 000005
【図４】
2019168773.tif 000006
【図５】
2019168773.tif 000007
【図６】
2019168773.tif 000008
【図７】
2019168773.tif 000009
【図８】
2019168773.tif 000010
【図９】
2019168773.tif 000011
【図１０】
2019168773.tif 000012
【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
衣装の提供を行う為の衣装提供システムであって、
衣装の予約を受け付けるための第１の選択情報の入力を受け付ける第１の選択受付手段と、
ユーザ端末において第２の選択情報の入力画面を表示する為に、前記第２の選択情報の選択肢を表示処理し、表示要求に応じて表示処理結果を送信する表示手段と、
前記第１の選択情報及び第２の選択情報を含む申込情報を作成する受付手段と、
前記申込情報に基づいて予約情報を登録する予約手段と、を備え、
前記入力画面は、前記第２の選択情報の選択肢として、前記第１の選択受付手段が受け付けた前記第１の選択情報と同一の情報を有する前記予約情報に含まれる前記第２の選択情報以外の表示を含み、
前記第１の選択情報は、ユーザが指定する衣装の型を示す指定衣装情報及び衣装を使用するイベントに関するイベント情報のうち何れか一方であり、
前記第２の選択情報は、前記指定衣装情報及びイベント情報のうちの他方であり、
前記イベント情報は、前記イベントの会場の情報を含むことを特徴とする、衣装提供システム。
【請求項２】
前記入力画面には、
前記第１の選択受付手段が受け付けた前記第１の選択情報と同一の情報を有する前記予約情報に含まれる前記第２の選択情報が、前記選択肢とは識別可能に表示されることを特徴とする、請求項１に記載の衣装提供システム。
【請求項３】
前記入力画面には、
前記第１の選択受付手段が受け付けた前記第１の選択情報と同一の情報を有する前記予約情報に含まれる前記第２の選択情報が表示されないことを特徴とする、請求項１に記載の衣装提供システム。
【請求項４】
前記イベントは、学校の入学式又は卒業式を含み、
前記イベント情報は、入学式又は卒業式を行う学校を指定する情報を含むことを特徴とする、請求項１〜３の何れかに記載の衣装提供システム。
【請求項５】
衣装の提供を行う為の衣装提供プログラムであって、
コンピュータを、
衣装の予約を受け付けるための第１の選択情報の入力を受け付ける第１の選択受付手段と、
ユーザ端末において第２の選択情報の入力画面を表示する為に、前記第２の選択情報の選択肢を表示処理し、表示要求に応じて表示処理結果を送信する表示手段と、
前記第１の選択情報及び第２の選択情報を含む申込情報を作成する受付手段と、
前記申込情報に基づいて予約情報を登録する予約手段と、として機能させ、
前記入力画面は、前記第２の選択情報の選択肢として、前記第１の選択受付手段が受け付けた前記第１の選択情報と同一の情報を有する前記予約情報に含まれる前記第２の選択情報以外の表示を含み、
前記第１の選択情報は、ユーザが指定する衣装の型を示す指定衣装情報及び衣装を使用するイベントに関するイベント情報のうち何れか一方であり、
前記第２の選択情報は、前記指定衣装情報及びイベント情報のうちの他方であり、
前記イベント情報は、前記イベントの会場の情報を含むことを特徴とする、衣装提供プログラム。